(57)【要約】【課題】テロ対策と事故時の操作性との両立を図った原子力発電装置。【解決手段】重要な制御弁やスイッチ類の操作を、主に優先割り込みの機械式回転軸として汚染の危険の低い建屋の外に導き、人力操作可能なレバーやハンドルに繋ぎ、テロ攻撃に対しては、現場に持ち込み可能な武器の攻撃に耐える雨戸を閉めて施錠して防ぐ事で、対テロと事故時の操作性との両立を図った原子力発電装置。【選択図】図１
2015132630.tif 000002
【特許請求の範囲】
【請求項１】
重要な制御弁やスイッチ類の操作を、主に優先割り込みの機械式回転軸として汚染の危険の低い建屋の外に導き、人力操作可能なレバーやハンドルに繋ぎ、テロ攻撃に対しては、現場に持ち込み可能な武器の攻撃に耐える雨戸を閉めて施錠して防ぐ事で、対テロと事故時の操作性との両立を図った原子力発電装置。
【発明の詳細な説明】
【技術分野】
【０００１】本発明は原子力発電装置をテロから守るだけでなく、地震や津波等の外乱や内部の故障等の物理的故障に対しても、放射能の所外拡散事件が起きない様にする。
【背景技術】
【０００２】発明の教科書に依れば、第二次大戦末期、連合軍はドイツの弾道ミサイルＶ１、２号に依る「空襲警報の間に合わないロンドン空襲」の恐怖に悩まされました。戦後米国で、何故其れが米国で先に発明出来なかったのかを検証した結果、天才的な発明は不要で、公知技術を集めれば可能だった事が判り、ケネディー大統領は、ソ連の宇宙ロケットに後れを取った時、月ロケットの日程を示して名誉を挽回しました。其れが、「形態学的予測手法」と云われるもので、以後米国では個々の手段が公知かでは無くて、「学際学発明（マルチ・テイディシプリナリー・インベスチゲーション）」に依る効果をより高く評価する様に成ったのだそうで、日本の企業製品は「猫も杓子もＮＡＳＡ詣で」と云う時代に其れを学んで、世界一の評価を得るに至りました。特許の世界も平成５年以降、其の考えを導入したそうです。【０００３】然し原発に限らず火薬、高圧ガスなど危険を伴う業界は閉鎖的で、福島事故が起きて見れば、全く「学際学」が不在で、特許も電気工学の視点しか見当たりません。更に、原発は武器技術にもつながる特に危険な物ですから、政治も関与します。然し故中坊先生は「２割司法」と云われました。其れは、三権分立の中で、司法は、法の番人として期待されて居ますが、実は、取り締まって居るのは人間の危険行為だけで、「ぶつ」の安全、敷居値違反に係わって居ないからです。ですから原発の安全も、テロリストを建屋内に入れない為に、２重扉にして、管理室から身分確認をして居ますが、汚染蒸気に内部を占拠される事は考慮の対象外だったのです。ですから、緊急発電室にもテロリストで無く、津波が侵入して電源が全滅し、作業員が溺死するリスクに対応して居らず、「自然の猛威は神聖なもので人知は及ばない」で片付けられて居ます。戦争は盾と矛で相手にも知略が有りますが、津波には知性が無いので、「学際学」から見れば、勝てて当たり前です。【０００４】福島事故の過程を記した複数の書の中で、特に経過が詳しく書かれた、門田隆将氏著、ＰＨＰ出版の、「死の淵を見た男、吉田昌郎」に依れば５４頁に「パタパタパタ、制御盤についていたランプが次々に消えてぃつた・・制御のための”命”とも云える監視計器などがすべてストップしたので有る。」７０頁には「原子炉の水位も圧力も何もみられない状態」１１９頁に「空焚きに成って居る事はもう間違いない」５７頁に「全電源が駄目に成ったと云う事は、原因が何であれ、電源が全く使えないと云う前提でものを考えなければ、いけなく成った」と記されて居ます。４９頁には「最後の命綱が切れた」とも記され菅総理が「どう云う事に成って居るんだ。何でそんな事に成るんだ。そんな事は想定してないのか」と怒鳴ったと記されて居ます。【０００５】具体的に云えば、福島の緊急電源は一応海抜１０ｍに土盛りした台地に設けられて居ますが、若し津波を想定するなら、福島では従来大津波は来ませんでしたが、世界的には屡々発生し、日本でも奥尻島は２７ｍの津波に襲われて居るので、１０ｍでは理屈に成りません。テレビでも放映された豪華客船は、石炭を使わないのに煙突が付いて居る。其れは、エンジンの給排気管が煙突の中を通って居て、甲板が波に洗われても問題ない様に成って居ました。現実に福島の津波は１５メートル程度で、本館の高さは約６０ｍ有り、外壁は津波や瓦礫の衝突に対し無傷で、２重扉の外側のガラスが割れただけで、内側の扉の下から水が漏れただけで、扉の間に閉じ込められた者は助かったのですから、屋上まで、船では公知の煙突を設ければ、上記電源喪失は無く、所外に広く放射能を拡散させる大被害は防げた筈でしょう。【０００６】更に、テレビに依れば、山林の木々は太陽と炭酸ガスで育ち其の腐葉土が地下水を通して沿岸魚貝類の栄養に成って居て、「山林の保全が漁業」なのだそうですが、今其の山林の除染が不可能で、其処から出る地下水を通しての海の汚染も、帰宅禁止区域の解除も、海に注がない池での魚釣り禁止も、半永久的に続くのだそうで、その原因は、決定的な効果の有る「公知の船の煙突を真似る原発の特許」詰まり手段では無くて、設計要件の特許が見当たらないからでしょう。【０００７】同様にテロ対策と云っても、福島の様に、汚染蒸気に内部を占拠された場面に対して、建屋内の設計思想が、ロボットを送り込む事を想定した構造には成って居なかったそうで、核戦争の研究では、特殊なロボットを作らなければ、電子回が強い放射能には耐えられないそうですが、其れも含めて何も企画されて居なかったそうです。
【発明の概要】
【発明が解決しようとする課題】
【０００８】詰まり、上記で煙突を付けて、電源が守れたとしても、テロに備えた室内が汚染で入室不能に成れば、役に立ちません。信頼性工学の教科書に依れば「９５％は設計で決まる」と記されています。ＮＡＳＡの月ロケットでも全員死亡事故が３回、途中帰還が１回有り、何れもフェーラーモードの発明洩れでした。ですから「企画の発明」なしに「手段の発明」から入っても安全は得られず、福島がその証拠でしょう。本発明は、福島事故の再発防止を目的として居り、其れには手段の公知性ではなく、「設計要件の発明」特にＳＦＰ（シングル・フェーラー・ポイント）の排除を目指して居ます。
【課題を解決するための手段】
【０００９】本発明の手段は「機械式優先割り込みリモコンと機械式リモート・センシング」の導入です。詰まり上記の巨大な被害の再発を防ぐ設計要件は、放射能の影響を受けにくい屋外地点迄、機械式リモコンと計器を引き出して来る事と、其処も汚染された場合に備えて、更に遠方から其処までロボットを派遣し易くする事です。【００１０】其の為の前例としては、河川の洪水を防ぐ水門は、通常はモーターを使いますが、台風で必要な時は、停電する可能性も有るので、手動ハンドルでも動かせる様に成っています。原子力の実験室は室外から窓越にマジックハンドで行います。是等はテレビでも放映されて公知ですが、其の侭使える物は少なく、又機械式リモート・センシングの前例は、昔の自動車の積算距離計で、スピードメーターケーブルの回転で伝えます。標準は約４０センチ走行で一回転し、最小表示は１００ｍで、１０万キロ迄計れます。（最近はケーブルに依って室内に騒音が入るのを嫌って単相電気式ですから、バックしても距離は加算されます。）手術も、人体に小穴を明けて照明やメスを入れたり、尿道から入れたりして、共焦点立体顕微鏡を使うのも公知です。然し原発の特許に機械リモコンは見当たりません。【００１１】制御系をリモコンで外に出してもテロ対策は必要ですが、其処を攻撃しても核は盗めませんから、本館より攻撃のメリットが低いでしょう。テロは無防備の相手でなければ損ですから、外国を含め、テロが戦車や警察の装甲車がと戦ったのを見た事が有りません。防弾チョッキや防弾ガラスは、学際学の中の自動車工学の中の衝突工学に基づいて、エネルギー吸収ストロークの「企画設計」が成されて居り、イタリアの高速道路の一部のガードレールは２枚に成って居て、その間がハニカム構造に成って居ます。本発明の雨戸も、特に厚さに制限は無いので、エネルギー吸収機能部材を挟んだサンドイッチ構造にし、燃料電池車の高圧水素タンクの様に、実弾射撃でセッチングします。更に雨戸の前は見通しを良くし、津波よりも高い位置に設けた、地上望遠鏡を使った自動画像解析監視装置も必要です。福島では是ら事故時の画像が一切公開されて居ません。恐らく設備が存在しなかったのでしょう。
【発明の効果】
【００１２】上記の手段は福島原発事故の再発を防ぐ手段の中で有効で然も安価です。他の手段は補助的な効果しか期待出来ません。
【図面の簡単な説明】
【００１３】
【図１】本発明のリモコン又は表示部についての実施例を示す。
【図２】津波シェルター室の構成を示す。
【図３】本発明の原子力発電所の全体構成を示す。
【図４】本発明の原子力発電所の他の実施例を示す。
【図５】図４の切り替え弁の構造を示す。
【発明を実施するための形態】
【００１４】図１は、放射能の影響を受け難い建屋の外観図を示し、軸１２５は後述の原発の重要制御対象機器の操作部に連動した軸で、アーム１２７を人力で回して制御する。軸１２５は必要制御対象項目の数だけ設け、人力で重い場合には、例えば１０倍の変速比を持つバーニア軸１２５を設ける。是に対応する弁等の制御対象物のストロークはアームの角度で求めるが、必要な場合は計測専用の軸１２５、指針１２７、バーニア軸１２５、バーニア指針１２７、又は時計の様な２針とする場合も有る。
【００１５】平常時は防弾雨戸１２８を締めて外から施錠し、テロに備える他、図示されない監視カメラも設ける。
【００１６】此の場所も汚染された場合には、図示されないロボットのチャックで梯子１２９を掴み、軸１２５との位置合わせ、レバー１２７を回す時の反力を受けるアンカーとする。ロボットは梯子迄自走し、無線、又はケーブル付きリモコンで汚染の無い地点から操作し、レバー１２７の操作状況の把握はロボットの内臓カメラを使うが、放射能でカメラが被った場合には、図２の津波、放射能シェルター内の地上望遠鏡１４８を介して観測、指令する。
【００１７】上記「重要制御対象機器」とは図３で、炉からタービンへの蒸気を制御する弁３６や、鉄塔倒壊等で送電線３５がショートしたり、断線したりした時、自動制御器３８を介してブレーカー３４が開きますが、若し故障で不作動の場合には、レバー１２７を介して機械的優先割り込み、又は電気的ＯＲゲートを操作し、図示されない整流器を介して発電機３２の電力を、コンデンサー３９に蓄電し、次いでダミーロードの電磁ブレーカー４２を入れますが、是等も自動操作が故障の場合は、レバー１２７を介して手動で操作します。但し是等の電気回路は汚染の恐れの有る場所に置く必要は有りません。但し、地震や津波で所内のタービン３０や発電機３２が故障した場合には、指針１２７を見乍ら、レバー１２７を介して蒸気弁３６を締めます。
【００１８】又、図４で１は炉心、２は原子力圧力容器、３は原子炉格納容器、４はドライウエル、５はベント管、６は圧力抑制プール、７は緊急時に海水や近くの山上の湖の水を入れて炉を冷やす外周プールで、先願で公知です。８は原子炉建屋、９はその屋上である。屋上９に降った雨は、排水溝１４より弁１５に入り、デフォルト状態では管１６を通して１８より下水に排出される。緊急時、停電等でプールに入れる水が確保出来ない場合には、ヘリ１１の下げたバケツ１３の水を屋上９上に撒き、弁１５を切り替えて菅１７に流し、プール７に入れる。福島では放射能が強くて有人ヘリの低空飛行が難しく、水が命中し難かったので、リモコンヘリ（ドローン）が必要です。その際、炉内の水は加圧されて約２２０度で有るから、給水の初期には激しく沸騰してプール７には溜まらないので、有効に冷却する為に、螺旋状に下る水路１２１を設けて有る。図５は切り替え弁１５の詳細断面図で軸１２５は可能で有れば直接操作し、不可能の場合は図１のレバー１２７を介して操作し、弁の向きは指針１２７で確認する。
【符号の説明】
【００１９】１・・・炉心、２・・・原子炉、３・・・原子炉格納容器、６・・・圧力抑制プール
７・・・外周プール、８・・・原子炉建屋、９・・・屋上、１１・・・ヘリコプター
１９・・・ベランダ、２８・・・蒸気発生器、２９・・・高圧タービン、３１・・・復水器  ３２・・・発電機、３９・・・コンデンサー、
１４８・・・放水銃、又は地上望遠鏡、画像解析付き監視カメラ
【図１】
2015132630.tif 000003
【図２】
2015132630.tif 000004
【図３】
2015132630.tif 000005
【図４】
2015132630.tif 000006
【図５】
2015132630.tif 000007